(57)【要約】      （修正有）【課題】十分な３Ｄ効果を得ることができる立体視用特殊プリズムレンズ製画面フィルターを提供する。【解決手段】フレネルレンズ化した特殊プリズムレンズ製画面フィルター３とシリンドリカル曲面状に縦方向に湾曲させた面２を有し、特殊プリズムレンズ製画面フィルターのレンズ形状により両眼に視差を生じさせるという３Ｄ化特性だけではなく片面を横方向に局率が同心円の均一でゆるやかなシリンドリカル曲面状に加工した特殊レンズ製画面フィルターにおいて、その画面フィルターのもう一方の平らな面を縦方向に局率が同心円の均一でゆるやかなシリンドリカル曲面状に湾曲させるという方法をその特殊プリズムレンズ製画面フィルターに組み合わせるという内容で構成されている。【選択図】図３
2014052616.tif 000002
【特許請求の範囲】
【請求項１】
特殊プリズムレンズ製画面フィルターのレンズ形状により両眼に視差を生じさせるという３Ｄ化特性だけではなく片面を横方向に局率が同心円の均一でゆるやかなシリンドリカル曲面状に加工した特殊レンズ製画面フィルターにおいて、その画面フィルターのもう一方の平らな面を縦方向に局率が同心円の均一でゆるやかなシリンドリカル曲面状に湾曲させるという方法をその特殊プリズムレンズ製画面フィルターに組み合わせるという内容で構成されていて、この組み合わせにより左右の眼に生じる両眼視差だけではなく画面フィルター自体を湾曲させることにより両眼像差を際立たせることが可能となり、その結果、より効果的な立体臨場感を得ることができる。
【発明の詳細な説明】
【発明の詳細な説明】
【技術分野】
【０００１】本発明は、普通の写真やテレビ映像等の平面画像に使用することで立体視用眼鏡を使用することなく立体視を可能にするための特殊レンズ製画面フィルターに関するものである。
【背景技術】
【０００２】従来より透明プラスチック等の材料を用いて光分散型三角プリズムレンズの光を分散する両面または片面を局率が同心円の均一でゆるやかなシリンドリカル曲面状に加工するという方法による特殊なプリズムレンズの形状をした写真やテレビ等の立体視のための画面フィルターで、その写真やテレビ映像等と同等の大きさのこの特殊プリズムレンズ製画面フィルターを対象画像の手前にその画像と平行に配置することにより対象の平面画像を立体視することが可能な裸眼３Ｄの方法があった。
【先行技術文献】
【特許文献】
【０００３】
【特許文献１】実用新案登録第３１４０７４３号
【非特許文献】
【０００４】
【非特許文献１】書籍名：裸眼３Ｄグラフィクス、出版社：朝倉書店、掲載箇所：第１９章、タイトル：ステレオレンズフィルタ方式、掲載ページ：１７１Ｐ〜１７６Ｐ
【発明の概要】
【発明が解決しようとする課題】
【０００５】従来の特殊プリズムレンズ製画面フィルターにはそのレンズ形状の３Ｄ化特性である両眼視差を効果的に生じさせるということが不足しがちで、その結果十分な３Ｄ効果を得ることができない場合があるという欠点があった。本発明はこれらの欠点を除くためになされたものである。
【課題を解決するための手段】
【０００６】従来の特殊プリズムレンズ製画面フィルターが両眼に視差を生じさせる方法としてそのレンズ形状の３Ｄ化特性のみを利用しているのに対して本発明は特殊プリズムレンズ製画面フィルターのレンズ形状により両眼に視差を生じさせるという３Ｄ化特性だけではなく片面を横方向に局率が同心円の均一でゆるやかなシリンドリカル曲面状に加工した特殊レンズ製画面フィルターにおいて、その画面フィルターのもう一方の平らな面を縦方向に局率が同心円の均一でゆるやかなシリンドリカル曲面状に湾曲させるという方法をその特殊プリズムレンズ製画面フィルターに組み合わせるという内容で構成されていて、この組み合わせにより左右の眼に生じる両眼視差だけではなく画面フィルター自体を湾曲させることにより両眼像差を際立たせることが可能となり、その結果、より効果的な立体臨場感を得ることができる。
【発明の効果】
【０００７】本発明には特殊プリズムレンズ状に加工した画面フィルターのレンズ形状の特性だけでは不十分であった両眼視差を特殊レンズ製の画面フィルター自体を縦方向に湾曲させるという方法を組み合わせることで両眼視差だけではなく両眼像差も生じさせ、その結果、より効果的な立体臨場感を得ることができるという効果がある。
【図面の簡単な説明】
【０００８】
【図１】片面を横方向に局率が同心円の均一でゆるやかなシリンドリカル曲面状に加工した特殊プリズムレンズ製画面フィルターのもう一方の平らな面を縦方向に局率が同心円の均一でゆるやかなシリンドリカル曲面状に湾曲させた図である。
【図２】本画面フィルターの中央部の横断面図である。
【図３】特殊プリズムレンズ製画面フィルターをフレネルレンズ化して薄型にして平らな面を縦方向に局率が同心円の均一でゆるやかなシリンドリカル曲面状に湾曲させた図である。
【図４】フレネルレンズ化した本画面フィルターの中央部の横断面図である。
【図５】本考案の使用状況を表す説明図である。
【発明を実施するための最良の形態】
【０００９】従来から立体視に利用されている光分散型三角プリズムレンズのうちの片面を横方向に局率が同心円の均一でゆるやかなシリンドリカル曲面状に加工した特殊レンズ製画面フィルターをフレネルレンズ化することにより薄型にして、そのフレネルレンズの平らな面を縦方向に局率が同心円の均一でゆるやかなシリンドリカル曲面状に湾曲させる。
【実施例】
【００１０】以下本発明の実施例について説明する。フレネルレンズ化した特殊プリズムレンズ製画面フィルターの平らな面を縦方向にシリンドリカル曲面状に湾曲させて液晶テレビなどの手前に配置することで裸眼３Ｄ画面フィルターとして利用できる。
【産業上の利用可能性】
【００１１】本３Ｄ化フィルターはテレビなどの娯楽用映像の３Ｄ化に利用できるだけでなく、自動車運転シミュレータ画像や医用画像、天体観測画像の３Ｄ化などにも利用できる。
【符号の説明】
【００１２】１  特殊プリズムレンズ製画面フィルター
２  シリンドリカル曲面状に縦方向に湾曲させた面
３  フレネルレンズ化した特殊プリズムレンズ製画面フィルター
４  フレネルレンズ面
５  液晶テレビ
【図１】
2014052616.tif 000003
【図２】
2014052616.tif 000004
【図３】
2014052616.tif 000005
【図４】
2014052616.tif 000006
【図５】
2014052616.tif 000007
【手続補正書】
【提出日】平成24年12月26日(2012.12.26)
【手続補正１】
【補正対象書類名】特許請求の範囲
【補正対象項目名】請求項１
【補正方法】変更
【補正の内容】
【請求項１】
特殊プリズムレンズ製画面フィルターのレンズ形状により両眼に視差を生じさせるという３Ｄ化特性だけではなく片面を横方向に局率が同心円の均一でゆるやかなシリンドリカル曲面状に加工した特殊レンズ製画面フィルターにおいて、その画面フィルターのもう一方の平らな面を縦方向に局率が同心円の均一でゆるやかなシリンドリカル曲面状に湾曲させるという方法をその特殊プリズムレンズ製画面フィルターに組み合わせるという内容で構成されていて、この組み合わせにより左右の眼に生じる両眼視差だけではなく画面フィルター自体を湾曲させることにより両眼像差を際立たせることが可能となり、その結果、より効果的な立体臨場感を得ることができる特殊レンズ製画面フィルター。